(57)【要約】【課題】導電性ヒンジを用いても、アンテナ効率の劣化を抑制する。【解決手段】第１の筐体１０ａ内に配置される第１の回路部材１５ａと、第２の筐体１０ｂ内に配置される第２の回路部材１５ｂと,第１の筐体１０ａと第２の筐体１０ｂとを回動可能に接続する導電性のヒンジ受け部２１と、第２の筐体１０ｂのヒンジ部の近傍のアンテナを有する折り畳み型無線通信機で、第１の回路部材１５ａと第２の回路部材１５ｂとを接続する筐体間インピーダンス調整手段２３が設けられている。【選択図】図３
2010045856.tif 000002
【特許請求の範囲】
【請求項１】
第１の筐体内に収容される第１の回路部材と、
第２の筐体内に収容される第２の回路部材と、
前記第１の筐体と前記第２の筐体とを回動可能に接続し、前記第１の回路部材に接続する導電性のヒンジ部と、
前記第２の筐体の一側面の近傍に配置され、前記ヒンジ部と前記第２の回路部材とを接続する第１の接続部材と、
前記第２の筐体の他の一側面の近傍に配置され、前記ヒンジ部と前記第２の回路部材とを接続する第２の接続部材と、
前記第２の回路部材と接続し、前記ヒンジ部の近傍に配置されたアンテナと、を有し、
前記アンテナは前記第２の接続部材より前記第１の接続部材の近くに配置され、
前記第１の接続部材は、前記第２の接続部材よりインピーダンスが高いこと
を特徴とする無線通信機。
【請求項２】
前記第１の接続部材及び前記第２の接続部材は、前記第１の筐体と前記第２の筐体とが開の状態において前記第１の回路部材と前記ヒンジ部とにより構成される部分の電気的長さを使用周波数に対して略（２ｎ＋１）λ/４（ｎ：整数）の長さで前記第２の回路部材に接続することを特徴とする請求項１に記載の無線通信機。
【請求項３】
前記ヒンジ部は、
前記第１の筐体と前記第２の筐体との開閉の回転軸である第１の回転軸と、
前記第１の回転軸と交差する方向に前記第１の筐体を回転可能な回転軸である第２の回転軸とを有し、
前記第１の接続部材及び前記第２の接続部材は、前記ヒンジ部において前記第１の回転軸及び前記第２の回転軸を介して、前記第１の回路部材に接続されること
を特徴とする請求項１又は請求項２に記載の無線通信機。
【発明の詳細な説明】
【技術分野】
【０００１】
本発明は、無線通信機に関し、特に、２以上の筐体を有し、開閉又は回転などの動作を行うことができる携帯用無線通信機に関する。
【背景技術】
【０００２】
無線通信技術の発展に伴い、携帯電話機などの携帯用無線通信機の進歩には著しいものがある。現在、最も良く用いられている携帯電話機は、２つの筐体がヒンジにより回転し、表示部と入力部とが対面する方向に折り畳み可能ないわゆる折り畳み型の携帯電話機である。折り畳み型の携帯電話機は、非通信時に携帯しやすいように、いわゆるストレートタイプと比べてコンパクトな形状に折り畳めるようになっている。通信時には、表示部を大画面化することができるという点で大変便利な構造である（例えば、特許文献１参照）。
【０００３】
図１１は、一般的な折り畳み型携帯電話機の構成例を示す図であり、図１１（Ａ）は正面図であり、図１１（Ｂ）は側面図である。図１１（Ａ）に示すように、一般的な折り畳み型携帯電話機は、第１の筐体（上筐体）１０ａと、第２の筐体（下筐体）１０ｂと、これらを回動可能に接続する例えば樹脂製のヒンジ２１と、を有している。第１の筐体（上筐体）１０ａ内には第１の回路部材１５ａが配置されており、第２の筐体（下筐体）１０ｂに第２の回路部材１５ｂが配置されている。図１１に示す例では、第２の回路部材１５ｂと接続されるアンテナ１１１が例えばヒンジ２１の近傍に設けられている。第１の回路部材１５ａと第２の回路部材１５ｂとの間には、フレキシブル基板ＦＳが設けられており、両回路基板間を電気的に接続することができる。
【先行技術文献】
【特許文献】
【０００４】
【特許文献１】特開平０６−０３７６９７号公報
【発明の概要】
【発明が解決しようとする課題】
【０００５】
図１１に示したように、第１の回路部材１５ａと第２の回路部材１５ｂとは、樹脂製のヒンジ２１内にカール状に配置されたフレキシブル基板ＦＳにより接続されている。携帯電話機の筐体開時には、アンテナに近接する第１の回路部材１５ａは、アンテナ１１１が配置されている第２の回路部材１５ｂと比較的長い、すなわちＬ性が大きいフレキシブル基板ＦＳのみにより接続されているため、アンテナ１１１に対してアースには見えずそれほど大きなアンテナ特性（効率）の劣化はない。
【０００６】
ところで、最近ではヒンジの剛性を高めるために金属製のヒンジを用いる場合が多くなってきている。特に、近年、複雑な筐体状態（例えば、２つの筐体が開閉可能かつ回転可能な状態）などを実現するため、或いは、第１の回転軸とこれと交差する回転軸とを有するいわゆる多軸回転ヒンジを小型化するために、ヒンジの剛性を高めることができる金属材料等の導電性材料を用いる場合が多くなりつつある。金属製のヒンジを用いた携帯電話機のアンテナ効率の周波数依存性は、一般的な樹脂製ヒンジを用いた場合と比較して、使用周波数帯域において効率が樹脂製ヒンジを用いた場合に比べて大きく劣化していることがわかった。
【０００７】
本発明は、導電性ヒンジを用いた場合においても、アンテナ効率の劣化を抑制することができる無線通信機を提供することを目的とする。
【課題を解決するための手段】
【０００８】
本発明の一観点によれば、第１の筐体内に収容される第１の回路部材と、第２の筐体内に収容される第２の回路部材と、前記第１の筐体と前記第２の筐体とを回動可能に接続し、前記第１の回路部材に接続する導電性のヒンジ部と、前記第２の筐体の一側面の近傍に配置され、前記ヒンジ部と前記第２の回路部材とを接続する第１の接続部材と、前記第２の筐体の他の一側面の近傍に配置され、前記ヒンジ部と前記第２の回路部材とを接続する第２の接続部材と、前記第２の回路部材と接続し、前記ヒンジ部の近傍に配置されたアンテナと、を有し、前記アンテナは前記第２の接続部材より前記第１の接続部材の近くに配置され、前記第１の接続部材は、前記第２の接続部材よりインピーダンスが高いことを特徴とする無線通信機が提供される。
【０００９】
前記第１の接続部材及び前記第２の接続部材は、前記第１の筐体と前記第２の筐体とが開の状態において前記第１の回路部材と前記ヒンジ部とにより構成される部分の電気的長さを使用周波数に対して略（２ｎ＋１）λ/４（ｎ：整数）の長さで前記第２の回路部材に接続することが好ましい。
【００１０】
前記ヒンジ部は、前記第１の筐体と前記第２の筐体との開閉の回転軸である第１の回転軸と、前記第１の回転軸と交差する方向に前記第１の筐体を回転可能な回転軸である第２の回転軸とを有し、前記第１の接続部材及び前記第２の接続部材は、前記ヒンジ部において前記第１の回転軸及び前記第２の回転軸を介して、前記第１の回路部材に接続されることが好ましい。
【発明の効果】
【００１１】
本発明の無線通信機によれば、ヒンジ部に導電性の材料を用いアンテナがヒンジ部近傍に配置された折り畳み型の無線通信機において、第１の筐体と第２の筐体とが開の状態において、アンテナに第１の筐体が近接する場合であっても、第１の筐体、ヒンジ部がアンテナと共に使用周波数で共振することにより、非常に広帯域で良好なアンテナ特性を実現できる。
【図面の簡単な説明】
【００１２】
【図１】本実施の形態による折り畳み型携帯電話機の外観構成例を示す斜視図である。
【図２】図２は、図１に示す折り畳み型携帯電話機の内部構成例を示す機能ブロック図である。
【図３】携帯電話機の開時にける内部構成例を示す図である。
【図４】図３の要部の構成を示す図である。
【図５】図４に示すインピーダンス調整手段のうちの典型的なフィルタ特性を有する筐体間インピーダンス調整手段２３として、図４（Ａ）と図４（Ｄ）とに示すインピーダンス調整手段のＳパラメータＳ２１の周波数依存性を示す図である。
【図６】図６（Ａ）は、図４に示す筐体間インピーダンス調整手段を用いた場合に、金属製の導電性ヒンジを用いた場合の、アンテナの効率の周波数ｆ０依存性を示す図である。図６（Ｂ）は、異なる周波数帯におけるアンテナ効率の周波数依存性を示す図である。
【図７】本発明の第２の実施の形態による携帯電話機の構成例を示す図である。
【図８】本発明の第３の実施の形態による携帯電話機の内部構成例を示す図である。
【図９】図９（Ａ）は、図８に示す携帯電話機の要部を示す斜視図である。図９（Ｂ）は、図８に示す携帯電話機の変形例の要部を示す斜視図である。
【図１０】本発明の第４の実施の形態による携帯電話機の要部の構成例を示す図である。
【図１１】一般的な折り畳み型携帯電話機の構成例を示す図であり、図１１（Ａ）は正面図であり、図１１（Ｂ）は側面図である。
【発明を実施するための形態】
【００１３】
発明者は、回転部近傍の機構的強度を増すために金属製（導電性）ヒンジを用いた場合に、筐体開時においてアンテナと上筐体とが近接し、上述のようにアンテナ特性（効率）が大幅に劣化すると考えた。すなわち、筐体開時において、第１の回路部材１５ａと第２の回路部材１５ｂとは、導電性のヒンジ２１を介して電気的に接続されてしまうことになる。例えば、筐体開時において、アンテナ１１１に近接する第１の回路部材１５ａが、アンテナ１１１が実装されている第２の回路部材１５ｂに対して低インピーダンスで接続されることになり、アンテナ１１１に対してアースに見えるため大幅な特性劣化を起こすと考えられる。
【００１４】
以下、本実施の形態による無線通信機について携帯電話機を例に図面を参照しつつ説明を行う。図１は、本実施の形態による折り畳み型携帯電話機の外観構成例を示す斜視図である。図２は、図１に示す折り畳み型携帯電話機の内部構成例を示す機能ブロック図である。図３は、携帯電話機の開時にける内部構成例を示す図であり、図４は、図３の要部の構成を示す図である。尚、図１１と対応する箇所には同じ符号を付している。
【００１５】
図１（Ａ）、（Ｂ）に示すように、本実施の形態による折り畳み型携帯電話機１０は、
第１の筐体（上筐体）１０ａと、第２の筐体（下筐体）１０ｂと、これらを互いに回動可能に取り付けるための金属製のヒンジ２１と、を有している。さらに、第１の筐体１０ａ側にＬＣＤ表示部１１５と、スピーカ１２３とが設けられている。一方、第２の筐体１０ｂ側には、各種操作ボタン類（キー入力部）１２２と、マイクロフォン１２４と、が設けられている。第２の筐体１０ａの上端部であってヒンジ２１の近傍には、アンテナ１１が設けられている。携帯電話機１０の裏面側には、カメラ１１２と、カメラ使用時の照明としても用いられるライト１１３と、が設けられているのが一般的である。
【００１６】
図２に示すように、本実施の形態による携帯電話機１０には、全体の制御を行う制御部２３１が設けられ、この制御部２３１により、記憶メモリ２３２と、表示部１１５と、スピーカ１１４と、マイク１２４と、キー入力部１２２と、音声出力部１２３と、カメラ１１２及びライト１１３と、無線部２３８及びアンテナ１１１と、に関する制御が行われる。
【００１７】
図３（Ａ）、（Ｂ）に示すように、本実施の形態による携帯電話機１０は、第１の筐体（上筐体）１０ａ内に配置されている第１の回路部材１５ａであって数層の基板と基板間に設けられた配線層と回路素子とを有し、全体として導電性を有する第１の回路部材１５ａと、第２の筐体１０ｂ内に配置されている第２の回路部材１５ｂであって同じく数層の基板と基板間に設けられた配線層と回路素子とを有し、全体として導電性を有する第２の回路部材１５ｂと、を有している。第１の回路部材１５ａの両側端には、さらに下方に延びる導電性の接続部１８ａとそれに続き、ある距離をおいて両側にそれぞれ設けられている２つのヒンジ受け部２１ｃを有している。ヒンジ受け部２１ｃは、後述するヒンジ軸部２１ａを内側から受けるように孔部（図示せず）を有している。
【００１８】
ヒンジ軸部２１ａは、２つのヒンジ受け部２１ｃにそれぞれ設けられている２つの孔部のそれぞれに外側から入り込むように配置されており、さらに、ヒンジ軸部２１ａから第２の筐体１０ｂ側に延びる２つのヒンジ軸部２１ａ間がコの字の開部に相当するように配置された導電性を有するコの字状の接続部材２１ｂが形成されている。尚、上述のようにヒンジの近傍には、第２の回路部材１５ｂに接続されるアンテナ１１１が形成されている。また、アンテナに関しては略同じ位置に内蔵される場合も含まれる。
【００１９】
さらに、接続部材２１ｂと第２の回路基板１５ｂとの間には、本実施の形態による携帯電話機の特徴である筐体間インピーダンス調整手段２３が設けられている。筐体間インピーダンス調整手段２３は、接続部材２１ｂと、ヒンジ受け部２１ｃとヒンジ軸部２１ａと接続部１８ａで構成されるヒンジ部２１を介して、第１の回路部材１５ａと接続されている。
【００２０】
これにより、第１の回路基板１５ａと第２の回路基板１５ｂとは、筐体間インピーダンス調整手段２３を介して接続されることにより、インピーダンス整合がとられるようになっている。すなわち、第１の回路部材１５ａ、ヒンジ部２１で構成される部分の電気的長さを筐体間インピーダンス調整手段２３により使用周波数に対して（２ｎ＋１）×λ／4（ｎ：整数）の長さで第２の回路部材１５ｂに接続し、第１、第２の筐体開時でアンテナに第１の筐体１０ａが近接する場合であっても、第１の筐体１０ａ、ヒンジ部２１がアンテナ１１１と共に使用周波数で共振することにより、非常に広帯域で良好なアンテナ特性が実現される。
【００２１】
図４（Ａ）から図４（Ｅ）までは、本実施の形態による筐体間インピーダンス調整手段２３の例について示す図である。実質的には、筐体間インピーダンス調整手段２３は、ヒンジ部２１に接続された第２の回路部材１５ａ上に実装された誘導性又は容量製チップ部品２３とで構成される。
【００２２】
図４（Ａ）は、ヒンジ部２１側と第２の回路部材１５ｂ側との間にコイル２３−１を設けた例を示す図である。また、図４（Ｂ）は、ヒンジ部２１側と第２の回路部材１５ｂ側との間にダイオードスイッチ２３−２とコイル２３−３とを直列に接続した例を示す図である。図４（Ｃ）は、ヒンジ部２１側と第２の回路部材１５ｂ側との間にＳＰＤＴ（１入力２出力）スイッチ２３−４と、このＳＰＤＴスイッチ２３−４と第１のコイル２３−５と第２のコイル２３−６との並列接続とを直列に接続した例を示す図である。図４（Ｄ）は、ヒンジ部２１側と第２の回路部材１５ｂ側との間に、コンデンサ２３−７とコイル２３−８とを並列接続した構成を有する。図４（Ｅ）は、ヒンジ部２１側と第２の回路部材１５ｂ側との間に周波数フィルタ２３−９が設けられた構成を有している。周波数フィルタ２３−９は、例えばセラミックスや積層フィルタである。図４（Ａ）から図４（Ｅ）まではそれぞれ周波数フィルタを構成しており、これらのいずれかを筐体間インピーダンス調整手段２３として用いることができる。図４（Ａ）から図４（Ｅ）までは、第２の回路部材１５ｂの両側に取り付けられたインピーダンス調整手段であって、アンテナ１１１が設けられている側では高インピーダンスで、反対側では低インピーダンスで構成されているのが好ましい。アンテナ側を高インピーダンス、非アンテナ側を低インピーダンスで接続すると、より広帯域で良好な特性が得られるという利点がある。
【００２３】
図６（Ａ）は、上記いずれかの筐体間インピーダンス調整手段２３を用いた場合であって金属製の導電性ヒンジを用いた場合の、折り畳み型携帯電話機のアンテナ効率の周波数ｆ０依存性を示す図である。図６（Ａ）に示す特性のうち破線で示す特性は、筐体間インピーダンス調整手段２３を用いない場合の特性である。一方、実線で示す特性は、第１の筐体１０ａ、導電性ヒンジ部２１で構成される部分の電気的長さを筐体間インピーダンス調整手段２３により、使用周波数である例えば９００ＭＨｚ帯に対して、λ／４の長さで第２の回路部材１５ｂに接続した場合のアンテナの効率の周波数特性である。
【００２４】
図６（Ａ）に示すように、第１の筐体１０ａ、導電性ヒンジ部２１で構成される部分の電気的長さを筐体間インピーダンス調整手段２３により調整することにより、アンテナに第１の筐体１０ａが近接する場合（例えば、折り畳み型携帯電話機が開時）であっても、第１の筐体１０ａおよびヒンジ部２１が、アンテナと共に使用周波数帯で共振することにより、広帯域で良好なアンテナ特性が実現できる。
【００２５】
次に、図６（Ｂ）と図５とを参照して、第１と第２の周波数帯、すなわち２バンドで使用する場合の本願への適用について説明する。図６（Ｂ）の実線Ｌ１、Ｌ３が筐体間インピーダンス調整手段２３として図４（Ａ）に示す一般的なインピーダンス特性を有する筐体間インピーダンス調整手段を用いた場合、破線Ｌ２、Ｌ４が図４（Ｄ）に示す典型的なフィルタ特性を有する筐体間インピーダンス調整手段２３を用いた場合のアンテナ効率の周波数特性を示す。
【００２６】
上述のように、第１の周波数帯、例えば９００ＭＨｚにおいて共振するように筐体間インピーダンス調整手段２３を設けると、図６（Ｂ）の高周波数帯側（ＢＷ２）において開時の特性（Ｌ３：実線で示す特性）は、ある周波数領域に効率が劣化する領域（効率のくぼみ）が見られる。この劣化は、筐体間インピーダンス調整手段２３により第１の筐体１０ａ、ヒンジ部２１を使用周波数に対してλ／４の長さとなるようインピーダンスを調整するようにしているため、例えば使用周波数が２倍になると、第１の筐体１０ａ、ヒンジ部２１がλ／２の長さとなり逆位相となるため、アンテナからの放射を阻害することに起因して生じる。
【００２７】
そこで、周波数によってインピーダンス特性が異なる筐体間インピーダンス調整手段２３を用いることを考えた。図５は、図４に示すインピーダンス調整手段２３のうちの典型的なフィルタ特性を有する図４（Ｄ）と一般的なインピーダンス特性を有する図４（Ａ）のＳパラメータＳ２１の周波数依存性を示す図である。図５において、図４（Ａ）に示すコイルによるＳ２１を符号Ｌ１１により、図４（Ｄ）に示すコイルとキャパシタとの並列接続に基づくＳ２１を符号Ｌ１２で示す。図４（Ｄ）に示す構成の筐体間インピーダンス調整手段２３は、符号Ｌ１２の曲線に示すように、ある周波数（図５の示す場合は１．８ＧＨｚ程度）において急激に開放状態に近くなる周波数特性を有する。従って、該周波数においては、筐体間インピーダンス調整手段２３が接続されていない状態に近づき、図６（Ｂ）の曲線Ｌ４に示す通り前記効率が劣化する領域が解消される。このとき、低周波数領域（ＢＷ１）では筐体間インピーダンス調整手段２３が示すインピーダンスはほぼ同等であるため（図５中のＬ１１、Ｌ１２）、図６中のＬ１、Ｌ２は、ほぼ同等な特性を示し、第１の筐体１０ａとヒンジ部２１がλ／４で共振し良好な特性が得られる。
【００２８】
図５に示すように、インピーダンス調整手段におけるフィルタ特性に周波数特性を持たせることにより、使用する低周波数帯側で共振周波数に近づくように調整した場合においても、２バンド又は４バンドで使用する場合の高周波数側での効率を劣化させないようなフィルタ特性（周波数依存性）を有するフィルタを選択することにより、異なるバンドのうち少なくとも２以上のバンドにおいて良好な効率を得ることができる。この際、基地局（アクセスポイント）からの基準信号により周波数帯を自動的に切り替えるとともに、それに適したフィルタ特性に切り替えるように調整することも可能である。あるいは、ユーザ又は販売者の設定により希望する周波数帯に適したインピーダンス調整手段を選択するようにしても良い。
【００２９】
尚、上記の例では、低周波数側の使用周波数帯に共振周波数を合わせるようにインピーダンス調整手段を選択したが、逆に高周波数側に共振周波数を合わせるようにインピーダンス調整手段を選択し、フィルタ特性により低周波数側の周波数帯においても効率が低下しないように調整することも可能である。
【００３０】
図４に戻り、図４（Ｂ）、図４（Ｃ）のそれぞれの特徴について説明する。図４（Ｂ）は、ダイオードスイッチ２３−２とコイル２３−３との直列接続を有しており、２バンド等のマルチバンド帯域で使用する際に、ダイオードスイッチを低周波帯域ではＯＮ、高周波帯域ではＯＦＦにすることにより、上述と同様に低周波帯域では、第１の筐体１０ａ、ヒンジ部２１を共振させ、高周波帯域では共振させずに、両帯域ともに良好な放射特性が得られる。
【００３１】
図４（Ｃ）は、ＳＰＤＴ（１入力２出力）スイッチ２３−４と、第１のコイル２３−５と第２のコイル２３−６との並列接続と、の直列接続により構成されている。第１のコイル２３−５と第２のコイル２３−６とは異なる特性を有しており、２バンド等のマルチバンド帯域で使用する際に、例えば、ＳＰＤＴ（１入力２出力）スイッチ２３−４を使用周波数帯に応じて第１のコイル２３−５側にスイッチされるように構成すると、第１のコイル２３−５の周波数特性（例えば９００ＭＨｚ）によりインピーダンスが調整され、逆に第２のコイル２３−６側にスイッチされると第２のコイル２３−６の周波数特性（例えば１．８ＧＨｚ）によりインピーダンス整合されるようになっている。この回路構成を用いると、２バンドのうちのいずれかの周波数帯に合わせて、ＳＰＤＴ（１入力２出力）スイッチ２３−４により適した方のコイルを選択することができるという利点がある。もちろん、スイッチの構成又は複数のコイルの個数又は接続構成を変更することにより、さらに多くの周波数帯において適正なインピーダンス調整を行うことも可能である。尚、スイッチとしては、ダイオードの代わりにＦＥＴなどのトランジスタを用いることも可能である。
【００３２】
以上に説明したように、本実施の形態による携帯電話機によれば、第１の回路部材１５ａとヒンジ部２１とで構成される部分の電気的長さを筐体間インピーダンス調整手段２３により、使用周波数に対して（2ｎ＋１）λ/4（ｎ：整数）の長さで第２の回路部材に接続し、第１、２の筐体開時において、アンテナ１１１に第１の筐体１０ａが近接する場合であっても、第１の筐体１０ａ、ヒンジ部２１が、アンテナ１１１と共に使用周波数で共振することにより、非常に広い帯域で良好なアンテナ特性を実現することができる。また、筐体間インピーダンス調整手段２３を第２の回路部材１５ｂの両端に配置することにより、筐体間インピーダンス調整手段２３を、ヒンジ部２１の接続構造であって筐体１０ａの両端に配置される接続構造を、ヒンジ部２１との固定（ネジ止め）部分と兼用することができる。
【００３３】
尚、アンテナ１１１が第２の回路部材１５ｂに対して非対称な位置に配置された場合においても、両端の電気長が同じになる方向に筐体間インピーダンス調整手段２３を微調整することにより、より一層広帯域で良好なアンテナ特性（効率）を得ることができる。
【００３４】
次に、本発明の第２の実施の形態による携帯電話機について図面を参照しつつ説明を行う。図７は、本実施の形態による携帯電話機の構成例を示す図である。図７に示す携帯電話機では、図３に示す携帯電話機と異なり、アンテナ側１１１を高インピーダンスの筐体間インピーダンス調整手段により、筐体間インピーダンス調整手段２３ａ・２３ｂを筐体の両側に設けている。アンテナと同じ側の第１のインピーダンス調整手段２３ｂは高インピーダンスにし、アンテナとは反対側を非アンテナ側のインピーダンス調整手段２３ａは低インピーダンスの筐体間インピーダンス調整手段により接続することにより、より一層の広帯域において良好なアンテナ特性（効率）を得ることができる。
【００３５】
次に、本発明の第３の実施の形態による携帯電話機について図面を参照しつつ説明を行う。図８は、本実施の形態による携帯電話機の内部構成例を示す図である。図８に示すように、本実施の形態による携帯電話機は、２軸ヒンジ構成を有している。すなわち、第１の軸３１ｃを回転軸とする筐体の開閉に関する動作と、第２の軸３３ａを回転軸とし第１の軸３１ｃの回転中心軸と交差する方向に第２の回転軸３３ａによる第１の筐体側の回転動作とが可能であり、第２の軸３３ａは第１の軸３１ｃに取り付けられている。この構造においては、特に第１の回転軸３１ｃに機械的な強度が要求される。そこで、金属製のヒンジが適している。第１の回転軸３１ｃを支持する両側の支持部材３１ｄ、３１eには、第２の回路部材１５ｂとの間に非アンテナ側に設けられた第１のインピーダンス調整部材３５ａと、アンテナ側に設けられた第２のインピーダンス調整部材３５ｂと、が設けられている。これにより、筐体開時に第１の回路部材１５ａがアンテナに近接しても、上述と同様に第１の筐体及びヒンジ部が共振して良好なアンテナ特性を得ることが可能となる。
【００３６】
図９（Ａ）は、図８に示す携帯電話機の要部を示す斜視図である。図９（Ａ）に示すように、開閉のための回転軸３１ｃを受ける受け部３１ａから延びて第２の回路部材に向かう取り付け構造として、第２の回路部材の面と略平行な面を有するヒンジ足部３１ｅと、このヒンジ足部３１ｅと第２の回路部材上に形成されたランドパターン３７と、ランドパターン３７から延びる筐体間インピーダンス調整部（チップコイル）４１と、を有している。ランドパターン３７により、ヒンジ足部３１ｅとインピーダンス調整３１ｅとの接続構造を形成することができる。
【００３７】
図９（Ｂ）は、図８に示す携帯電話機の変形例の要部を示す斜視図である。図９（Ｂ）に示すように、本変形例による携帯電話機においては、開閉のための回転軸３１ｃを受ける受け部３１ａから延びて第２の回路部材に向かう取り付け構造として、第２の回路部材の面と略平行な面を有するヒンジ足部３１ｅと、このヒンジ足部３１ｅを樹脂製のボス４３により固定した構造を有している。さらに、ヒンジ足部３１ｅから接続用導体４５が第２の回路部材の表面とほぼ平行に延びており、この接続用導体４５が第２の回路部材の表面においてランドパターン３７と接続される。ランドパターン３７からはチップコイル４７が第２の回路部材に接続されている。これら接続用導体４５とチップコイル４７とにより、第１の筐体間インピーダンス調整手段が形成される。
【００３８】
本実施の形態及びその変形例による携帯電話機によれば、導電性ヒンジを利用可能であるため、複雑な２軸構成においても構造的強度を確保することができるという利点がある。
【００３９】
次に、本発明の第４の実施の形態による携帯電話機について図面を参照しつつ説明を行う。図１０は、本実施の形態による携帯電話機の要部の構成例を示す図である。図１０に示す接続用導体５１は、図９（Ｂ）に示す接続用導体４５と同様の構成を有しているが、接続用導体５１が、部品を支持する支持部を兼ねている点を特徴とする。ランドパターン３７からはチップコイル４７が第２の回路部材に接続されている。尚、接続用導体４５とチップコイル４７とにより、第１の筐体間インピーダンス調整手段が形成される点は同様である。
【００４０】
接続用導体５１の裏面側には、カメラ部５３がレンズＬＳを裏面側に向けて取り付けられている。本実施の形態による携帯電話機においては、接続用導体がカメラなどの部品の支持部を兼ねているため、部品の点数を少なくすることができるとともに、携帯電話機の小型化にも寄与できる。尚、接続用導体５１に支持される部品は、カメラの他に、ライト、ＯＣＲ機能、などの種々の機能部品でも良い。
【００４１】
以上に説明したように、本実施の形態による携帯電話機においては、ヒンジ部が導電性材料で形成されている場合に、ヒンジ部がアンテナとともに使用周波数で共振するように調整する筐体間インピーダンス調整手段を設けたため、広帯域において良好なアンテナ特性を得ることができるという利点がある。
【産業上の利用可能性】
【００４２】
本発明は、折り畳み型の携帯電話機に適用可能であり、その他、折り畳み型の無線通信機、あるいは、折り畳み方のＰＤＡなどにも適用可能である。
【符号の説明】
【００４３】
１０…折り畳み型携帯電話機、１０ａ…第１の筐体、１０ｂ…第２の筐体、１５ａ…第１の回路部材、１５ｂ…第２の回路部材、１８ａ…接続部、２１…導電性のヒンジ受け部、２１ａ…ヒンジ軸部、２１ｂ…接続部材、１１１…アンテナ。
【図１】
2010045856.tif 000003
【図２】
2010045856.tif 000004
【図３】
2010045856.tif 000005
【図４】
2010045856.tif 000006
【図５】
2010045856.tif 000007
【図６】
2010045856.tif 000008
【図７】
2010045856.tif 000009
【図８】
2010045856.tif 000010
【図９】
2010045856.tif 000011
【図１０】
2010045856.tif 000012
【図１１】
2010045856.tif 000013